(57)【要約】【課題】  見栄えが良い立体的な編地の編成方法および編み製品を提供する。【解決手段】  脚部３、足部５および踵部４は、平編みで編成される。周囲部７は、コース方向には縮まず、ウエール方向に縮むように編成される。周囲部７は踵部５に対してウエール方向に収縮する。踵部５は、周囲部７を基準とすれば、相対的にウエール方向に膨らんで浮上がり、脚部３と足部５との間も周囲部７を挟んで角度が曲る。周囲部７と踵部４とは連続したコースで編成することができ、引返し編成や目増やし／目減らしの編成は不要となる。膨らむ部分の周囲を縮ませるので、見栄えが良くなる立体的な編地が得られる。【選択図】      図１
2006291439.tif 000002
【特許請求の範囲】
【請求項１】
よこ編みの編地中に、膨らむ部分を有する立体的な編地を編成する方法であって、
該膨らむ部分とその周囲部分とを通過するコースは連続して編成し、
該膨らむ部分ではコースに対応する編目列を形成し、
該周囲部分では、複数コースで１つの編目列を形成するように、各コースでは、該膨らむ部分の編目列での編目位置のうち、該複数よりも１少ない数の編目位置の間隔をおいて１つの編目位置でのみ編目を形成しながら、コース毎に編目を形成する編目位置を順次変えることを特徴とする立体的な編地の編成方法。
【請求項２】
前記膨らむ部分は、平編みで編成し、
前記周囲部分は、前記各コースで前記１つの編目位置のみをニットで編成し、前記間隔となる編目位置ではミスとすることを特徴とする請求項１記載の立体的な編地の編成方法。
【請求項３】
前記編地は、各コースが周回するように筒状に編成され、
前記周囲部分も、編成される筒状の編地のうち、前記膨らむ部分を含む一部分として、周回するように編成することを特徴とする請求項１または２記載の立体的な編地の編成方法。
【請求項４】
請求項１〜３のいずれか１つに記載の立体的な編地の編成方法によって編成されていることを特徴とする編み製品。
【請求項５】
請求項３記載の立体的な編地の編成方法によって編成され、
前記筒状に編成される編地は靴下の編地であり、
前記膨らむ部分は該靴下の踵部であることを特徴とする編み製品。
【請求項６】
請求項３に記載される立体的な編地の編成方法によって編成される編み製品であって、
前記編み製品は、指袋を有する被服であり、
前記膨らむ部分は、前記指袋の指先および指股のうち少なくとも一方であることを特徴とする編み製品。
【発明の詳細な説明】
【技術分野】
【０００１】
本発明は、よこ編みの編地の一部が膨らむように形成される立体的な編地の編成方法および編み製品に関する。
【０００２】
本発明において、コース方向は、横編機のキャリッジが進退する方向であり、ウエール方向は、コース方向に垂直な方向を意味する。
【背景技術】
【０００３】
従来から、靴下などの編み製品は、筒状の編地として編成されている。筒状編地をよこ編み組織で編成するためには、丸編機や平形の横編機が使用される。平形の横編機でも、前後に針床を備えていれば、周回編成で筒状編地を編成することができる。靴下など、人体に着用する編み製品では、人体の形状に合わせて、たとえば踵部などで、編地の一部を膨らませることが好ましい。
【０００４】
丸編機による靴下の編成では、従来は踵部を、編幅を順次減少させ、次いで編幅を順次増大させる部分的な引返し編みが用いられている。ただし、編幅が減少する部分と増加する部分とが相互に接合され、接合部分にゴアラインが形成されるので、しわが生じやすく、編地の延びも妨げられる。このような不具合を避けるために、ゴアラインを形成しないで踵部を編成する方法として、引返し編成で編幅を増やしてから減らすようにすることが提案されている（たとえば、特許文献１参照）。
【０００５】
また、引返し編成で編幅の減少と復帰とを繰返すことで、たとえばパンツの尻の部分の膨らみなどを編成する技術も知られている（たとえば特許文献２参照）。さらに、編地中の一部の領域について、一連の目増やしと目減らしとをおこなうことで立体的な編地を形成する技術も提案されている（たとえば、特許文献３参照）。
【０００６】
【特許文献１】特開平８−３５１５２号公報
【特許文献２】特開平１１−３２３７０２号公報（図８，図９）
【特許文献３】特表２００１−５０１２５９号公報（図７）
【発明の開示】
【発明が解決しようとする課題】
【０００７】
従来からのよこ編みによる立体編地の編成方法では、引返し編成や、目増やし／目減らし編成など、膨らませる部分の編成について、周囲の編地よりもウエール方向に膨らむような編成を行っている。このため、引返し編成の部分と周囲の部分との境界部や、増し目や減らし目が目立つなど、見栄えの点で問題がある。
【０００８】
本発明の目的は、見栄えが良くなる立体的な編地の編成方法および編み製品を提供することである。
【課題を解決するための手段】
【０００９】
本発明は、よこ編みの編地中に、膨らむ部分を有する立体的な編地を編成する方法であって、
該膨らむ部分とその周囲部分とを通過するコースは連続して編成し、
該膨らむ部分ではコースに対応する編目列を形成し、
該周囲部分では、複数コースで１つの編目列を形成するように、各コースでは、該膨らむ部分の編目列での編目位置のうち、該複数よりも１少ない数の編目位置の間隔をおいて１つの編目位置でのみ編目を形成しながら、コース毎に編目を形成する編目位置を順次変えることを特徴とする立体的な編地の編成方法である。
【００１０】
また本発明で、前記膨らむ部分は、平編みで編成し、
前記周囲部分は、前記各コースで前記１つの編目位置のみをニットで編成し、前記間隔となる編目位置ではミスとすることを特徴とする。
【００１１】
また本発明で、前記編地は、各コースが周回するように筒状に編成され、
前記周囲部分も、編成される筒状の編地のうち、前記膨らむ部分を含む一部分として、周回するように編成することを特徴とする。
【００１２】
さらに本発明は、前述のいずれか１つに記載の立体的な編地の編成方法によって編成されていることを特徴とする編み製品である。
【００１３】
また本発明は、よこ編みの編地中に、膨らむ部分を有する立体的な編地を編成する方法であって、
該膨らむ部分とその周囲部分とを通過するコースは連続して編成し、
該膨らむ部分ではコースに対応する編目列を形成し、
該周囲部分では、複数コースで１つの編目列を形成するように、各コースでは、該膨らむ部分の編目列での編目位置のうち、該複数よりも１少ない数の編目位置の間隔をおいて１つの編目位置でのみ編目を形成しながら、コース毎に編目を形成する編目位置を順次変え、
前記編地は、各コースが周回するように筒状に編成され、
前記周囲部分も、編成される筒状の編地のうち、前記膨らむ部分を含む一部分として、周回するように編成する立体的な編地の編成方法によって編成され、
前記筒状に編成される編地は靴下の編地であり、
前記膨らむ部分は該靴下の踵部であることを特徴とする編み製品である。
【００１４】
本発明は、よこ編みの編地中に、膨らむ部分を有する立体的な編地を編成する方法であって、
該膨らむ部分とその周囲部分とを通過するコースは連続して編成し、
該膨らむ部分ではコースに対応する編目列を形成し、
該周囲部分では、複数コースで１つの編目列を形成するように、各コースでは、該膨らむ部分の編目列での編目位置のうち、該複数よりも１少ない数の編目位置の間隔をおいて１つの編目位置でのみ編目を形成しながら、コース毎に編目を形成する編目位置を順次変え、
前記編地は、各コースが周回するように筒状に編成され、
前記周囲部分も、編成される筒状の編地のうち、前記膨らむ部分を含む一部分として、周回するように編成する立体的な編地の編成方法によって編成される編み製品であって、
前記編み製品は、指袋を有する被服であり、
前記膨らむ部分は、前記指袋の指先および指股のうち少なくとも一方であることを特徴とする編み製品である。
【発明の効果】
【００１５】
本発明によれば、ウエール方向に縮んで編地が安定する周囲部分の内部に、周囲部分に対して相対的にウエール方向に膨らむ部分を、周囲部分と膨らむ部分とを連続するコースで編成することができる。引返し編成や増し目／減らし目などを形成しなくても、部分的に膨らむ編地を編成することができるので、見栄えが良くなる立体的な編地の編成を行うことができる。
【００１６】
また本発明によれば、周囲部分をニットとミスとで編成し、膨らむ部分を平編みで編成するので、周囲部分と膨らむ部分とで編地の外観の違いを少なくし、ゴアラインや、境界部などが生じないようにすることができる。周囲部分は、平編みで編成する膨らむ部分に比較して、編地が安定し、編地の表面が滑らかとなり、すべすべした感触が得られる。
【００１７】
また本発明によれば、周囲部分は、筒状編地のうちの一部分として周回するように編成されるので、他の筒状編地部分とは異なるコースとして編成され、他の筒状編地の部分よりも周囲部分がウエール方向に縮んでも、コース方向には縮まないようにすることができる。
【００１８】
さらに本発明によれば、人体に着用する際などに必要な膨らむ部分を、外観を損わずに、見栄えや着用感が良好な状態で編成することができる。膨らむ部分を囲む周囲部分は、ある程度の厚みと収縮性を有するので、着用する人体の部位などを保護するサポート性も良好に得られる。
【００１９】
また本発明によれば、筒状の編地としての靴下の踵部を、筒状の編地の一部に周回するように編成する周囲部分の内部で、周囲部分をウエール方向に縮ませて、相対的にウエール方向に膨らむ部分として編成することができる。
【００２０】
本発明によれば、指袋によって被覆される部位の形状に合った立体的な形状に編み製品を形成することができる。これによって外観を損なわず、見栄えおよび着用感が良好な編み製品を編成することができ、さらに前記部位に圧迫感およびだぶつき感を与えることがない。
【発明を実施するための最良の形態】
【００２１】
図１、図２および図３は、本発明の実施の一形態である立体的な編地の編成方法で編成した実施の第１の形態の靴下１の外観構成を示す。図１は側面から、図２は上面から、図３は底面からみた状態をそれぞれ示す。靴下１を人体の足に着脱する際の開口部分にはゴム部２が設けられ、ゴム編みで編成されるとともに、編糸の一部にゴムなどの弾性糸が使用されている。ゴム部２に続いて、脚部３が形成され、さらに踵部４、足部５からつま先部６に至るように、全体として筒状の編地として編成されている。脚部３および足部５は、大略的に直円筒状に形成される。脚部３と足部５との間に踵部４が設けられ、踵部４の周囲には周囲部７が設けられる。周囲部７は、脚部３と足部５との間に設けられる。周囲部７も、基本的な形状は直円筒状である。周囲部の一部に、踵部４が形成される。
【００２２】
脚部３、足部５および踵部４は、たとえば平編み（天竺編み）で編成される。周囲部７は、後述するように、コース方向には縮まないけれども、ウエール方向に縮むように編成される。この結果、脚部３と周囲部７との境界や、足部５と周囲部７との境界ではコース方向の変化が無く、編地は収縮なく連続する。度目を変えれば、コース方向の変化をつけることも可能である。ウエール方向では、周囲部７が踵部４に対して収縮する。踵部４は、周囲部７を基準とすれば、相対的にウエール方向に膨らむ。この結果、周囲部７は、踵部４が設けられている側の部分がウエール方向に拡げられ、脚部３と足部５との間も周囲部７を挟んで角度が曲ることになる。
【００２３】
なお、周囲部７は、踵部４が形成される範囲よりも広く形成されている。このため、周囲部７の脚部３側の部分と足部５側の部分とは、全周がウエール方向に、同様に縮むように形成される。この部分は、踵部４を膨らませて浮上がらせるためには必ずしも必要はないけれども、周囲部７は適度の伸縮性を有し、安定した編地で、足首などを保護する機能もあるので、設けることが好ましい。靴下１としては、引返し編成無しで踵部４を形成することができる。このためゴアライン無しにすることができ、見栄えも良好となる。
【００２４】
また、後述するように、周囲部７と踵部４とを連続したコースで編成すると、周囲部７の編目での１コースが踵部４では複数コースに膨らむことになる。しかしながら、従来技術のような引返し編成では、脚部３と足部５との境界に割込ませて部分的に踵部４が形成されることになるのに対して、周囲部７では、踵部４のコース数に対して特定の割合のコースが対応し、このコース数の範囲で踵部４が膨らむことになる。脚部３と足部５との境界を踵部４で部分的に複数コースに拡げる従来の技術では、踵部４に対向する部分にしわが生じやすくなる。本形態では、周囲部７中では、踵部４の複数に対応してその整数分の１の数のコースで踵部４の複数コースへの拡大を分担することになるので、無理なく、踵部４を膨らますことができ、対向部分がしわになりにくくすることができる。
【００２５】
図４は、図１〜３に示すような周囲部７および踵部４を、横編機の針床に設けられる編針で編成する場合に、編成コース毎に使用する編針について示す。「○」印はニットする編針を示し、「−」印はミスする編針を示す。すなわち、踵部４では、全部の編針を使用して、各編針でニットする平編みを行う。周囲部７では、１つの編成コースで、編針の１本おきにニットし、中間の編針はミスする。次の編成コースでは、前の編成コースでミスした編針にニットし、前の編成コースでニットした編針ではミスする。したがって、周囲部７では、２つの編成コースで、編目列としては１コース分が編成されるのに対し、踵部４では編目列が２コース分編成される。このような編成方法を「分割編み」と称する。この場合、周囲部７に１コース分の編目列が編成される間に踵部４では２コース分の編目列が編成され、周囲部７は踵部４に対して、ウエール方向に縮むことになる。なお、周囲部７と踵部４との編目列でのコース数の比率は、１：２ばかりではなく、他の比率に変えることもできる。一般化して、ｎを２以上の整数とすると、周囲部７ではｎ−１本おきの編針にニットし、中間の編針をミスにする編成をｎコース行い、各コースでニットする編針の位置をずらすようにすればよい。
【００２６】
すなわち、靴下１は、よこ編みの編地中に、膨らむ部分を有する立体的な編地を編成する方法で編成される。膨らむ部分である踵部４とその周囲部分である周囲部７とを通過するコースは連続して編成する。踵部４ではコースに対応する編目列を形成する。周囲部７では、複数コースで１つの編目列を形成するように、各コースでは、踵部４の編目列での編目位置のうち、その複数よりも１少ない数の編目位置の間隔をおいて１つの編目位置でのみ編目を形成しながら、コース毎に編目を形成する編目位置を順次変えるようにすればよい。なお、踵部４の外形は、直線で構成されているけれども、特許文献１の図４と同様に、曲線で構成するようにしてもよい。なお、靴下１は、前後の針床を備える横編機で、筒状の編地として編成する。図４はたとえば後針床で使用する編針について示す。この場合、前針床では、周囲部７と同様に編針を使用する。
【００２７】
図５は、前後に針床を備える横編機で、図４に示すような編針の選択を伴って、周囲部７と踵部４とを編成する状態を、一部の編成コースについて示す。下側に示す針床は前針床であり、上側に示す針床は後針床であるとする。また、踵部４は、後針床側で編成するものとする。後針床では、両側のＡ，Ｃの部分で周囲部７を編成し、中間のＢの部分で踵部４を編成するものとする。前側の針床では、全体で周囲部７を編成する。
【００２８】
図５に示す部分のうちの最初の編成コースＣ１では、たとえば前側の針床について、１本おきに編針をニットで使用して、中間の編針はミスするように編成を行う。次のコースＣ２では、後針床の区間Ａで前針床と同様に１本おきのニットと中間のミスの編成を行い、中間の区間Ｂでは全部の編針でニットの編成を行い、最後の区間Ｃでは、区間Ａと同様に、１本おきのニットと中間のミスの編成を行う。次のコースＣ３では、前針床で、コースＣ１でミスした編針にニットし、コースＣ１でニットした編針にミスする編成を行う。次のコースＣ４では、後針床で、区間Ａでは、コースＣ２でミスした編針にニットし、コースＣ２でニットした編針にミスする編成を行う。次の区間Ｂでは、全部の編針でニットの編成を行う。次の区間Ｃでは、コースＣ２でミスした編針にニットし、コースＣ２でニットした編針にミスする編成を行う。
【００２９】
以下、コースＣ５〜Ｃ８も同様に編成を行う。この結果、後針床の区間Ｂとして編成される踵部４では、４コース分の編目列が形成される。前針床の全区間で編成される周囲部７では、編成コースＣ１と編成コースＣ５とで形成される編目がウエール方向に連なる列が１目おきに形成され、中間部分には、編成コースＣ３と編成コースＣ７とで形成される編目がウエール方向に連なる列が形成される。コース方向に関しては、編成コースＣ１と編成コースＣ３とで編成される編目が同一コースの位置に並ぶ。編成コースＣ５と編成コースＣ７とで編成される編目も同一コースの位置に並ぶ。後針床の区間Ａおよび区間Ｃで編成される周囲部７でも、ウエール方向には、編成コースＣ２と編成コースＣ６とで編成される編目と、編成コースＣ４と編成コースＣ８とで編成される編目とがそれぞれ連なる。コース方向には、編成コースＣ２と編成コースＣ４とで編成される編目と、編成コースＣ６と編成コースＣ８とで編成される編目とがそれぞれ同一コースの位置に並ぶ。すなわち、周囲部は編目としては２コース分形成される。これに対して、踵部４では、編成コースＣ２，Ｃ４，Ｃ６，Ｃ８でそれぞれ１コース分の編目列が形成され、合計４コース分の編目列が形成される。この結果、周囲部７は、前述のように、ウエール方向に縮むことになる。
【００３０】
以上の説明では、靴下１のような周回編成で筒状編地の一部に膨らむ部分としての踵部４を編成し、周囲の部分を周囲部７となる編地で編成するので、引返し編成は不要となる。また、目増やし／目減らしも不要となる。同様の編成は、横編機と同様に、よこ編みを行う丸編機などでも行うことができる。平形の横編機では、周回編成による筒状編地ばかりではなく、シングル編地に、膨らむ部分を形成することもできる。シングル編地でも筒状編地でも、周囲部７と平編みの踵部４とでは形成される編目コース数が異なるため、周囲部７は収縮し、踵部４は立体的に浮上がる。周囲部７と踵部４とで度目（ループ長）を変えれば、収縮の程度や立体形状の調整が可能である。
【００３１】
膨らむ部分を囲む周囲部分は、ある程度の厚みと収縮性を有するので、着用する人体の部位などを保護するサポート性も良好に得られる。したがって、肘、膝等のサポータにも適用可能である。
【００３２】
なお、図４〜図５に示すように、１コース目で１本おきにニットし、２コース目で空き針部でニットすることで、キャリッジ２コースの編成で１コース分の編目列を形成すると、外観は平編みに近いけれども、平編みに比較して、編地の表面が滑らかで、すべすべしている編地が得られる。このような点では、ゴム編みを２つ組合わせた両面編みで、別称スムース編みに似た感触とすることができる。このような周囲部７の編地は、多少厚みのある質感と、適度な伸縮性を有するのが特徴である。また、編地が安定しており、しわになりにくい。このため、サポータなどに適用すると、着用感を良好にすることができる。さらにバストの膨らみなども、靴下１における周囲部７中の踵部４と同様の編成方向によって形成することができる。
【００３３】
図６は、立体的な編地の編成方法でその一部を編成した実施の第２の形態の靴下１Ａの指袋１１Ａを拡大して示す側面図である。図７は、図６の切断線Ａ−Ａで切断して、紙面左方向に見た指袋１１Ａの端面図である。靴下１Ａは、第１の実施の形態の靴下１と構成が類似している。靴下１Ａについては、靴下１と異なる点についてだけ説明し、同一の構成については、同一の符号を付してその説明を省略する。靴下１Ａは、その足部５に５本の指袋１１Ａが一体的に編成され、５本の指袋１１Ａがつま先部６を構成している。各指袋１１Ａには、親指、人差し指、中指、薬指および小指がそれぞれ挿入される。
【００３４】
各指袋１１Ａは、大略的に、筒状に形成され、その指袋１１Ａの先端が編成によって止められている。膨らむ部分である各指袋１１Ａの裏側部分１４は、その指先１６から指股１７にわたって、平編みによって編成され、外方に向かって膨らむように湾曲している。周囲部分である各指袋１１Ａの甲側部分１５は、その指先１６から指股１７にわたって、分割編みによって編成され、略平坦状になっている。甲側部分１５は、靴下１Ａに足を挿入した状態で、足の甲に対向する部分であり、裏側部分１４は、足の裏に対向する部分である。
【００３５】
図８は、立体的な編地の編成方法でその一部を編成した実施の第３の形態の靴下１Ｂの指袋１１Ｂを拡大して示す側面図である。実施の第３の形態の靴下１Ｂは、実施の第２の形態の靴下１Ａと、指袋の形状および編成方法が異なる。したがって靴下１Ｂの構成については、指袋１１Ｂについてだけ説明し、指袋１１Ｂ以外の構成については、同一の符号を付してその説明を省略する。
【００３６】
各指袋１１Ｂは、大略的に、筒状に形成され、その指袋１１Ｂの先端が編成によって止められている。各指袋１１Ｂの裏側部分１４および甲側部分１５は、互いに対向する領域が異なる編成方法によって編成されている。具体的には、膨らむ部分である各指袋１１Ｂの裏側部分１４の指先領域（以下「裏側指先領域」と称する）２１および甲側部分１５の指股領域（以下、「甲側指股領域」と称する）２２は、平編みによって編成され、外方に向かって膨らむように湾曲している。また各指袋１１Ｂの裏側部分１４の指股領域（以下、「裏側指股領域」）２３および甲側部分１５の指先領域（以下「甲側指先領域」と称する）２４は、分割編みによって編成され、略平坦状になっている。指袋１１Ｂは、図８の切断線Ｂ−Ｂで切断すると、図７と同様の端面になり、図８の断面線Ｃ−Ｃで切断すると、図７と紙面上下方向反対の端面になる。裏側および甲側指先領域２１，２４は、編成切替位置２５より指袋１１Ｂの指先側の領域であり、裏側および甲側指股領域２２，２３は、編成切替位置２５より指袋１１Ｂの指股１７側の領域である。本実施の形態では、編成切替位置２５は、指袋１１Ｂの中間部である。ただし編成切替位置２５は、中間部に限定されない。
【００３７】
図９は、各指袋１１Ａ，１１Ｂの一部を編成するときの各コースにおいて横編機の編針に行わせる編成動作を示す図である。以下では、説明の便宜上、１つの指袋１１Ａ，１１Ｂを編成する場合について説明する。編成コースＣ１から順に、編糸を周回するように編成が行われる。各編成コースＣ１，Ｃ３，Ｃ５，Ｃ７は、筒状の指袋１１Ａ，１１Ｂの裏側部分１４を編成するためのコースであり、前針床に配置される編針によって編成を行う。また各編成コースＣ２，Ｃ４，Ｃ６，Ｃ８は、筒状の指袋１１Ａ，１１Ｂの甲側部分１５を編成するためのコースであり、後針床に配置される編針によって編成が行われる。図９の実線の「○」がニットを表す。
【００３８】
まず指袋１１Ａの編成について説明する。指袋１１Ａの編成は、編成コースＣ１〜Ｃ４の編成動作を用いて編成する。編成コースＣ１では、前針床の編幅内全ての編針をニットに使用する。編成コースＣ２では、後針床の編幅内の編針を一本おきにニットに使用し、ニットに使用する編針の間の編針をミスさせる。編成コースＣ３では、前針床の編幅内全ての編針をニットに使用する。編成コースＣ４では、編成コースＣ２でミスさせた後針床の編針をニットに使用し、編成コースＣ２でニットに使用した後針床の編針をミスさせる。編成コースＣ１から編成コースＣ４の編成動作を繰返して、以降の編成を行う。このような編成動作を指袋１１Ａの指先１６から指股１７にわたって行うと、指袋１１Ａが筒状に形成され、指袋１１Ａの裏側部分１４が平編みで編成され、指袋１１Ａの甲側部分１５が分割編みで編成される。
【００３９】
次に指袋１１Ｂの編成について説明する。編成コースＣ１から編成コースＣ４の編成動作を指先１６から編成切替位置２５にわって繰返し行うことよって、裏側指先領域２１が平編みで編成され、甲側指先領域２４が分割編みで編成される。編成切替位置２５から指股１７まで編成は、編成コースＣ５〜Ｃ８の編成動作を用いて行う。編成コースＣ５では、前針床の編幅内の編針を一本おきにニットに使用し、ニットに使用する編針の間の編針をミスさせる。編成コースＣ６では、後針床の編幅内全ての編針をニットに使用する。編成コースＣ７では、編成コースＣ５でミスさせた前針床の編針をニットに使用し、編成コースＣ５でニットに使用した前針床の編針をミスさせる。編成コースＣ８では、後針床の編幅内全ての編針をニットに使用する。編成コースＣ５から編成コースＣ８の編成動作を繰返して、以降の編成を行う。このような編成動作を指袋１１Ｂの編成切替位置２５から指股１７にわたって行うと、指袋１１Ｂが筒状に形成され、指袋１１Ｂの裏側部分１４の指股領域２３が分割編みで編成され、指袋１１Ｂの甲側部分１５の指股領域２２が平編みで編成される。
【００４０】
このようにして編成されるので、靴下１Ａの指袋１１Ａは、甲側部分１５が裏側部分１４に対してウエール方向に縮み、コース方向の伸びが小さい。また靴下１Ｂの指袋１１Ｂは、裏側指股領域２３および甲側指先領域２４が裏側指先領域２１および甲側指股領域２２に対してウエール方向に縮み、コース方向の伸びが小さい。このようなウエール方向に縮みが生じ、コース方向の伸びが小さいので、各指袋１１Ａ，１１Ｂは、前記形状に形成される。足の指の形状は、指先の甲側が略平坦状であり、裏側が膨らむように湾曲し、さらに指股の裏側が略平坦状であり、甲側が膨らむように湾曲している。したがって各指袋１１Ａの形状が足の指の形状に沿うように形成され、足の指先の圧迫感およびだぶつき感をなくすことができる。さらに装着時に靴下１Ａの外観を損なわず、見栄えおよび着用感が良好な靴下１Ａを実現できる。指袋１１Ｂは、指袋１１Ａの効果に加えて、足の指股の圧迫感およびだぶつき感をなくすことができる。このような編成方法では、度目を変えることなく、立体的な形状を有する指袋１１Ａ，１１Ｂを形成できる。さらに靴下１Ａ，１Ｂは、靴下１と同様の効果を奏する。
【００４１】
本実施の形態では、指袋１１Ａを有する編み製品として靴下１Ａを例に挙げたけれども、靴下１Ａに限定されない。たとえば手袋であってもよく、指袋が形成される衣服などの被服であればよい。また裏側指先領域２１と指股領域２３との間および甲側指先領域２４と指股領域２２との間に、平編みまたは分割編みなどで編成される筒状の胴部を介在させてもよい。足の指の中間部分は、円形状になっており、足の指の胴の部分の圧迫感およびだぶつき感をなくすことができる。
【図面の簡単な説明】
【００４２】
【図１】本発明の実施の一形態である立体的な編地の編成方法で編成した実施の第１の形態の靴下１の外観構成を示す側面図である。
【図２】図１の靴下１の平面図である。
【図３】図１の靴下１の底面図である。
【図４】図に示すような周囲部７および踵部４を、横編機の針床に設けられる編針で編成する場合に、編成コース毎に使用する編針について示す図である。
【図５】前後に針床を備える横編機で、図４に示すような編針の選択を伴って、周囲部７と踵部４とを編成する状態を、一部の編成コースについて示す図である。
【図６】立体的な編地の編成方法でその一部を編成した実施の第２の形態の靴下１Ａの指袋１１Ａを拡大して示す側面図である。
【図７】、図６の切断線Ａ−Ａで切断して、紙面左方向に見た指袋１１Ａの端面図である。
【図８】立体的な編地の編成方法で一部を編成した実施の第３の形態の靴下１Ｂの指袋１１Ｂを拡大して示す側面図である。
【図９】各指袋１１Ａ，１１Ｂの一部を編成するときの各コースにおいて横編機の編針に行わせる編成動作を示す図である。
【符号の説明】
【００４３】
１，１Ａ，１Ｂ  靴下
３  脚部
４  踵部
５  足部
７  周囲部
１１Ａ，１１Ｂ  指袋
１６  指先
１７  指股
【図１】
2006291439.tif 000003
【図２】
2006291439.tif 000004
【図３】
2006291439.tif 000005
【図４】
2006291439.tif 000006
【図５】
2006291439.tif 000007
【図６】
2006291439.tif 000008
【図７】
2006291439.tif 000009
【図８】
2006291439.tif 000010
【図９】
2006291439.tif 000011